(57)【要約】      （修正有）【課題】何らかの拍子による衝撃接触での人身事故や、レンズ部及びカメラの自損事故を無くし、また伸縮自在のジャバラ部を縮小させる一瞬の動作だけで、レンズ部の先端面が表出され、シャッター即応状態にすることが出来るカメラレンズカバーを提供する。【解決手段】一眼レフカメラ２の、突出したレンズ部３に、所定の長さの楕円形状からなる中空管の、全長に渡って伸縮自在のジャバラ部１を設けたことを特徴とする。【選択図】図４
0003199576.tif 000002
【実用新案登録請求の範囲】
【請求項１】
意図する長さの、楕円形状、からなる中空管の、全長に渡り、伸縮自在のジャバラ部（１）を設けたのを特徴とする、カメラレンズカバー
【請求項２】
意図する長さの、楕円形状、からなる中空管の、一方の、任意の長さ範囲を、ストレート部（４）とし、その、ストレート部（４）以外を、伸縮自在のジャバラ部（１）としたのを特徴とする、カメラレンズカバー
【請求項３】
請求項一、請求項二、からなるカメラレンズカバーに於いて、それぞれ、任意の位置から、任意の位置までの、拡大の内空段差を、一段、又は、二段、三段と、設けたのを特徴とする、カメラレンズカバー
【請求項４】
請求項一、請求項二、請求項三、からなるカメラレンズカバーに於いて、それぞれ、任意な形状の切り抜き面（６）を、任意の位置に設けたのを特徴とする、カメラレンズカバー
【考案の詳細な説明】
【技術分野】  カメラのアクセサリー
【背景技術】
【０００１】  一眼レフカメラは、カメラ本体とレンズ部が分離する形態で構成されていて、その一眼レフカメラ用レンズは、用途や目的に応じて実に多種多様なレンズが提供されているが、その全てが、カメラ本体よりレンズ部が突出している形態となっている。
これら、レンズ部が突出している形態の一眼レフカメラ用の、これまでのカメラケースは、カメラ本体とレンズ部を一体的に被覆するタイプのカメラケースを初め、カメラ本体とレンズ部を、そのままスッポリと収納する、ボックスタイプやポーチタイプなどのカメラケースが市販されている。
【考案の概要】
【考案が解決しようとする課題】
【０００２】  一眼レフカメラのカメラ本体は、それなりに価格も高価で精密機器でもあるが、レンズもも又、カメラに劣らず高価な精密機器であり、カメラ本体より高価なレンズも多数存在する。そして、その高価で精密な一眼レフカメラ及びレンズを、保護保管して収納及び携帯するのに、収納ボックスや携帯ケースなどを利用するものであるが、収納ボックスや携帯ケースに収納されている一眼レフカメラは、いずれも、撮りたいと思う場面では、ボックスから取り出したり、ケースを外したりする等の行為を経由するので、どうしても、一瞬のシャッターチャンスを逃がす場合が多かった。
その為、多くの一眼レフカメラ愛好家達は、その、一瞬のシャッターチャンスを逃がさないように、高価で、しかも精密機器でもあるカメラ及びレンズを、収納ボックス又は携帯ケースから取り出し、無防備と危険を併せ持つ、裸状態のカメラを、吊り紐で、肩や首からぶら下げた状態で、多くの人が行き交う街中や観光地なので持ち歩いている姿が多々見受けられる。
しかし、それなりの重量と、それなりの硬さもある、カメラやレンズを、他の硬い物体や、周囲の人の身体などにぶつけた場合、衝撃ショックに弱い精密機器であるカメラ自体やレンズを壊したりする自損事故や、人の身体を傷つけたりする人身事故などの危険性があった。
特に、カメラ本体から突出したレンズ部による接触事故が、それらの事故の大半を占めていて、肩や首から吊り紐でぶら下げた状態のカメラ及びレンズの高さは、子供達の顔の高さに位置するので、何かの拍子で、子供達に大怪我をさせる事態を思えば、危険きわまりなかった。
【課題を解決する方法】
【０００３】  本考案は、緩衝性のあるゴム系や樹脂系などの素材からなる、楕円形状の中空管に、伸縮自在の機能を持たせたジャバラ部（１）を設けて、接触事故の大半を占めるカメラ（２）のレンズ部（３）をカバーする形態の、カメラレンズカバーとしたものである。
【考案の効果】
【０００４】本考案からなるカメラレンズカバーは、シャッターを切らない携行時は、レンズ部（３）の先端レンズ面より、はみ出る状態の位置まで、伸縮自在のジャバラ部（１）によって、カメラレンズカバー先端を伸長させた状態で、カメラ（２に）装着しておけば、カメラ（２）を肩や首からぶら下げての歩行の際、他の硬い物体や、回りの人に、不用意にぶつける事があっても、カメラレズカバーの緩衝機能により、ぶつかり衝撃を吸収してくれるので、他の人を怪我させたりする人身事故や、カメラ（２）やレンズ部（３）が壊れる自損事故を防止することができる。
そして、本考案で得られるもう一つの大きな効果は、一瞬のシャッターチャンスにおいて、カメラレンズカバーを、レンズ部（３）から取り外すことなく、レンズ先端面が露出する位置まで、カメラレンズカバーの先端を、カメラ（２）の本体側に軽く押し戻して、伸長したジャバラ部（１）を縮小させるだけの簡単な一瞬の動作だけでシャッターが切れる即応状態となる。
このように、本考案からなるカメラレンズカバーは、これまでの他のカメラケースのように、取り外したり、取り出したりしなくてよいばかりではなく、常に、カメラ（２）のレンズ部（３）に装着した状態で携行できるので、携行中のカメラ（２）の不測の事故を防止しながらも、一瞬のシャッターチャンスに素早く対応できて、撮り逃がしも解消できる。
さらに、本考案からなるカメラレンズカバーは、ベースとする中空管の形状を、楕円形状にしたのも、大きな特徴とするもので、楕円の長手方向を上下から押さえることにより、楕円の短手方向の内空寸法を調整出来るので、ある一つのサイズのカメラレンズカバーで、複数のカメラレンズのサイズに装着できるフリーサイズとする効能が得られる。
そしてさらに、押し拡げられた楕円短手方向は、元の状態へ戻ろうとする、収縮復元作用により、レンズを挟み締める一定の力が保持されるので、レンズ部（３）からのカメラレンズカバーの脱落を防止するのを初め、カメラレンズカバーの一方をレンズ部（３）の根元の位置に合わせての基本的な装着形態の他、カメラレンズカバーの一方をレンズ部（３）の任意な中間の位置に装着する、変則的な装着形態でも、しっかり装着固定が保持される効能も得られる。
【図面の簡単な説明】
【０００５】  本考案での図面は、一つの請求項に対し、正面図、側面図、背面図の、三点横並びセットに配置して、図示してあります。
【図１】は、楕円形状からなる中空管の全長を、ジャバラ部（１）だけで構成した、本考案の請求項一からなる、カメラレンズカバーを示した正面図である。
【図２】は、楕円形状からなる中空管の全長を、ジャバラ部（１）だけで構成した、本考案の請求項一からなる、カメラレンズカバーを示した側面図である。
【図３】は、楕円形状からなる中空管の全長を、ジャバラ部（１）だけで構成した、本考案の請求項一からなる、カメラレンズカバーを示した背面図である。
【図４】は、カメラ（２）の、レンズ部（３）に装着された、楕円形状の中空管からなる、ジャバラ部（１）だけで構成された、本考案の請求項一からなるカメラレンズカバー先端を、ジャバラ部（１）を伸長させた状態で、レンズ部（３）の先端面より突出させて位置させたのを、側面図で示したものである。（持ち歩いているときの装着状態参考図）
【図５】は、カメラ（２）の、レンズ部（３）に装着された、楕円形状の中空管からなる、ジャバラ部（１）だけで構成された、本考案の請求項一からなるカメラレンズカバー先端を、ジャバラ部（１）を押し込み縮小させた状態で、レンズ部（３）の先端面より内側に位置させたのを、側面図で示したものである。（シャッターを切る際の、装着状態参考図）  なお、［図４］、及び、［図５］は、各請求項からなる、本考案によるカメラレンズカバーの装着状態を代表して図示したもので、他の請求項からなるカメラレンズカバーの、装着状態参考図は、以下省略する。
【図６】は、楕円形状からなる中空管の一方を、ストレート部（４）とし、その、ストレート部（４）から先を、ジャバラ部（１）として構成した、本考案の請求項二からなる、カメラレンズカバーを示した正面図である。
【図７】は、楕円形状からなる中空管の一方を、ストレート部（４）とし、その、ストレート部（４）から先を、ジャバラ部（１）として構成した、本考案の請求項二からなる、カメラレンズカバーを示した側面図である。
【図８】は、楕円形状からなる中空管の一方を、ストレート部（４）とし、その、ストレート部（４）から先を、ジャバラ部（１）として構成した、本考案の請求項二からなる、カメラレンズカバーを示した背面図である。
【図９】は、本考案の請求項一からなる、カメラレンズカバーに、内空拡大段差を設けたのを示した、請求項三からなる、カメラレンズカバーの、正面図である。
【図１０】は、本考案の請求項一からなる、カメラレンズカバーに、内空拡大段差を設けたのを示した、請求項三からなる、カメラレンズカバーの、側面図である。
【図１１】は、本考案の請求項一からなる、カメラレンズカバーに、内空拡大段差を設けたのを示した、請求項三からなる、カメラレンズカバーの、背面図である。
【図１２】は、本考案の請求項二からなる、カメラレンズカバーに、内空拡大段差を設けたのを示した、請求項三からなる、カメラレンズカバーの、正面図である。
【図１３】は、本考案の請求項二からなる、カメラレンズカバーに、内空拡大段差を設けたのを示した、請求項三からなる、カメラレンズカバーの、側面図である。
【図１４】は、本考案の請求項二からなる、カメラレンズカバーに、内空拡大段差を設けたのを示した、請求項三からなる、カメラレンズカバーの、背面図である。
【図１５】は、カメラレンズカバーの任意な位置に、任意な形状の、切り抜き面（６）を設けた、本考案の請求項四からなるカメラレンズを、請求項一〜請求項三までを代表して、請求項一のカメラレンズカバーをベースにして示した、正面図である。
【図１６】は、カメラレンズカバーの任意な位置に、任意な形状の、切り抜き面（６）を設けた、本考案の請求項四からなるカメラレンズを、請求項一〜請求項三までを代表して、請求項一のカメラレンズカバーをベースにして示した、左側面図である。
【図１７】は、カメラレンズカバーの任意な位置に、任意な形状の、切り抜き面（６）を設けた、本考案の請求項四からなるカメラレンズを、請求項一〜請求項三までを代表して、請求項一のカメラレンズカバーをベースにして示した、背面図である。
【図１８】は、カメラレンズカバーの任意な位置に、任意な形状の、切り抜き面（６）を設けた、本考案の請求項四からなるカメラレンズを、請求項一〜請求項三までを代表して、請求項一のカメラレンズカバーをベースにして示した、右側面図である。
【考案を実施するための形態】
【０００６】  柔軟な特性を有する、ゴム系素材や樹脂系素材からなる、楕円形状の中空管に、伸縮自在のジャバラ部（１）を設けて、カメラ（２）のレンズ（３）を保護する、カメラレンズカバーである。
【実用新案登録請求の範囲の、請求項一の実施例】
【０００７】  請求項一の実施例からなるカメラレンズカバーは、［図１］、［図２］、［図３］で示すように、緩衝性のあるゴム系や樹脂系素材などの、カメラ（２）のレンズ部（３）の外径に概ね合致する内空径の、意図する長さの、楕円形状からなる中空管の全長を、伸縮自在のジャバラ部（１）として、カメラレンズカバーとするものである。
請求項一の実施例からなるカメラレンズカバーは、［図４］で示すように、カメラ（２）のレンズ部（３）に、全長を伸縮自在のジャバラ部（１）としたレンズカバーを、すっぽりと挿入装着して使用するもので、普段は、レンズ部（３）の先端より、ジャバラ部（１）を長く引き伸ばしておくことにより、緩衝性のある中空管の素材と、伸縮自在のジャバラ部（１）とした、波状に折り畳まれた、波の頂点辺と、波の低辺との、波の幅で得られるクッションの、二つの緩衝機能が相乗して、カメラ（２）とレンズ部（３）をしっかりと保護する。
そして、シャッターチャンスでは、［図５］で示すように、レンズカバーの先端を軽く押し込む瞬間の動作だけでジャバラ部（１）が収縮し、カメラレンズカバーの先端が、レンズ部（３）の先端面より内側の位置に位置され、何時でもシャッターが切れる即応状態とすることが出来る。
なお、本考案からなるカメラレンズカバーを構成する中空管を、楕円形状としたのは、楕円長手方向を押さえる事により、楕円短手方向の内空径が調整できるので、複数のレンズ径に、一つの径のレンズカバーで対応する事が可能となる、フリーサイズのレンズカバーとするのを狙いとしたものである。
【実用新案登録請求の範囲の、請求項二の実施例】
【０００８】  請求項二の実施例からなるカメラレンズカバーは、［図６］、［図７］、［図８］で示すように、緩衝性のあるゴム系や樹脂系素材などの、カメラ（２）のレンズ部（３）の外径に概ね合致する内空径の、意図する長さの、楕円形状からなる中空管の、先端とする一方の任意の長さ範囲を、ストレート部（４）とし、その、ストレート部（４）以外を、伸縮自在のジャバラ部（１）として、カメラレンズカバーとするものである。
請求項二の実施例からなるカメラレンズカバーは、先端とする一方の任意の長さ範囲を、ストレート部（４）とすることにより、全体をジャバラ部（１）としたカメラレンズカバーより、レンズ部（３）の先端面からはみ出る位置への伸長動作や、レンズ部（３）の先端面より内側位置への伸縮動作が、ストレート部（４）の長さ範囲で、より早く、瞬時に、なされるようにしたものである。
又、ストレート部（４）とした範囲の、中空管の肉厚を、ジャバラ部（１）とした中空管の肉厚より、厚くすれば、カメラレンズカバー先端部の構造強度が大きくなるので、レンズ部（３）の保護強度がより強化される。
【実用新案登録請求の範囲の、請求項三の実施例】
【０００９】請求項三の実施例からなるカメラレンズカバーは、請求項一、請求項二、からなる各カメラレンズカバーに於いて、それぞれ、任意の位置から任意の位置までの内空径を、一段、又は、二段、三段と拡大の内空段差を設けたのを特徴とする、カメラレンズカバーとしたもので、以下、請求項毎に、実施例を説明する。
請求項一をベースとする実施例は、［図９］、［図１０］、［図１１］、で示す、一段の、拡大の段差形状で構成されるのを特徴とした、カメラレンズカバーである。
請求項二をベースとする実施例は、［図１２］、［図１３］、［図１４］、で示す、一段の、拡大の段差形状で構成されるのを特徴とした、カメラレンズカバーである。
なお、二段、三段の、拡大の内空段差状態で構成れるカメラレンズカバーの実施例は、上記した一段の内空拡大の実施例に順じるので、実施例、及び、その実施例に係る図面は省略します。
【実用新案登録請求の範囲の、請求項四の実施例】
【００１０】  請求項四の実施例からなるカメラレンズカバーは、請求項一、請求項二、請求項三、からなる各レンズカバーに於いて、［図１５］、［図１６］、［図１７］、［図１８］で示すように、カメラレンズカバーとした、中空管の、任意の位置に、任意の形状からなる、切り抜き面（６）を設けたのを特徴とする、カメラレンズカバーである。
本考案の請求項四からなる、切り抜き面（６）を設けたカメラレンズカバーは、望遠レンズなどの焦点調整ズームを手動で行う場合は、レンズ部（３）の回動部を回転させなければならないので、その、レンズ部（３）の回動部に、直接、指で触れることが出来るように、切り抜き面（６）を設けたものである。
なお、請求項四の実施例は、本考案の請求項一からなるカメラレンズカバーをベースとした実施例で示したものである。
【産業上の利用可能性】
【００１１】
【符号の説明】
【００１２】  （１）  ジャバラ部
（２）  カメラ
（３）  レンズ部
（４）  ストレート部
（５）  切り抜き面
【図１】
0003199576.tif 000003
【図２】
0003199576.tif 000004
【図３】
0003199576.tif 000005
【図４】
0003199576.tif 000006
【図５】
0003199576.tif 000007
【図６】
0003199576.tif 000008
【図７】
0003199576.tif 000009
【図８】
0003199576.tif 000010
【図９】
0003199576.tif 000011
【図１０】
0003199576.tif 000012
【図１１】
0003199576.tif 000013
【図１２】
0003199576.tif 000014
【図１３】
0003199576.tif 000015
【図１４】
0003199576.tif 000016
【図１５】
0003199576.tif 000017
【図１６】
0003199576.tif 000018
【図１７】
0003199576.tif 000019
【図１８】
0003199576.tif 000020
【手続補正書】
【提出日】平成27年6月9日(2015.6.9)
【手続補正１】
【補正対象書類名】実用新案登録請求の範囲
【補正対象項目名】全文
【補正方法】変更
【補正の内容】
【実用新案登録請求の範囲】
【請求項１】
所定の長さの楕円形状からなる中空管の、全長に渡って伸縮自在のジャバラ部（１）を設けたことを特徴とするカメラレンズカバー。
【請求項２】
所定の長さの楕円形状からなる中空管の、長さ方向に沿った所定の範囲をストレート部（４）とし、ストレート部（４）以外の範囲を伸縮自在のジャバラ部（１）としたことを特徴とする、カメラレンズカバー。
【請求項３】
請求項１又は２に記載のカメラレンズカバーに於いて、長さ方向に、内空径を拡大する内空段差を、一段、又は、二段、又は、三段と設けたことを特徴とする、カメラレンズカバー。
【請求項４】
請求項１〜３のいずれか一項に記載のカメラレンズカバーに於いて、切り抜き面（５）を設けたことを特徴とする、カメラレンズカバー。